【事件の表示】
　特願２０１４−１６４７２７号「遊技機」拒絶査定不服審判事件〔平成２８年　３月２４日出願公開、特開２０１６−　３９８８１号〕について、次のとおり審決する。
【結　論】
　本件審判の請求は、成り立たない。
【理　由】
第１　手続の経緯
　本願は、平成２６年８月１３日の出願であって、平成２７年９月２８日付けで手続補正がなされたが、平成２７年１１月１６日付けで拒絶査定がなされ、これに対して、平成２８年２月１５日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、請求項１の記載は、補正前の、
「【請求項１】
　演出を行う遊技機であって、
　演出の画像を表示する第１の表示手段と、
　前記第１の表示手段に対して移動可能であり、演出の画像を表示する第２の表示手段と、
　所定条件により行われる判定の結果を報知する演出を前記第１の表示手段および前記第２の表示手段を用いて行う演出制御手段と、
　を備え、
　前記演出制御手段は、前記判定の結果を報知する演出において、前記第２の表示手段が前記第１の表示手段と重なる位置にある場合、当該第２の表示手段に対応する当該第１の表示手段の領域に表示する画像を当該第２の表示手段に表示することを特徴とする遊技機。」から、
補正後の
「【請求項１】
　演出を行う遊技機であって、
　演出の画像を表示する第１の表示手段と、
　前記第１の表示手段に対して移動可能であり、演出の画像を表示する第２の表示手段と、
　所定条件により行われる判定の結果を報知する演出を前記第１の表示手段および前記第２の表示手段を用いて行う演出制御手段と、
　を備え、
　前記演出制御手段は、前記判定の結果を報知する演出において
図柄が変動してから停止するまでにする発展演出を行う場合に前記第２の表示手段が移動し、かつ、当該
へ補正された（下線部は補正箇所を示す。）。
２．補正の適否　　
　補正後の請求項１は、発明特定事項である「前記演出制御手段」の「前記判定の結果を報知する演出において」、「当該第２の表示手段に対応する当該第１の表示手段の領域に表示する画像を当該第２の表示手段に表示する」ための条件として、「前記第２の表示手段が前記第１の表示手段と重なる位置にある場合」を、「図柄が変動してから停止するまでにする発展演出を行う場合に前記第２の表示手段が移動し、かつ、当該第２の表示手段が前記第１の表示手段と重なる位置にある場合」と限定したものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、願書に最初に添付した明細書の段落０００９、段落０５４５、段落０５５１の記載および図３−２６−１、図３−２６−２の図示内容から総合することから導かれるものであり、新規事項を追加するものではない。
　
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１．の補正の概要において示したとおりのものである。
（２）刊行物に記載された事項
（２−１）刊行物１
　原査定の拒絶の理由に引用された本願の出願前に頒布された刊行物である「特開２０１４−１２８４８０号公報」（以下、「刊行物１」という。）には、図面と共に次の事項が記載されている（下線は当審で付した。）。
（ア）「【発明の詳細な説明】
【技術分野】
【０００１】
　本発明は、遊技機に関する。
【背景技術】
【０００２】
　ぱちんこ機等の遊技機では、遊技媒体を用いて行う遊技では
始動口と呼ばれる入賞口に遊技球が入球することによって開始される特典（大当たり）の抽選処理が行われる。この遊技機では、抽選処理の抽選結果に基づく演出によって報知する際、当該演出における演出画像を表示装置に表示することで遊技者を視覚的に楽しませ、より高い興趣の提供を行っている。
【０００３】
　このときの表示装置には演出に基づく演出画像を表示しており、役物と呼ばれる遊技機を装飾する装飾装置とその演出画像とを連動させることによって、遊技者に対してより高い興趣を提供している。」
（イ）「【発明を実施するための形態】
【００１４】
　以下、本発明に係わる遊技機の一実施例を添付図面を参照して詳細に説明する。
【実施例】
【００１５】
　図１は、本発明の実施の形態における遊技機を適用して構成した遊技機１の装置構成図の一例であって、図２は、本発明のガラス枠を開放させた状態の遊技機１の斜視図であり、図３は、１つの遊技機１の裏面側の斜視図である。
・・・
【００３７】
　また、遊技領域６の中央には、遊技球の流下に影響を与える飾り部材７が設けられている。
この飾り部材７の略中央部分には、ＬＣＤ（Liquid Crystal Display）等によって構成される第１液晶表示装置３１（以下、「メイン液晶」とも称する）が設けられ
【００３８】
　
この第１液晶表示装置３１に正対して左側には第１液晶表示装置３１に比べて小さいサイズの第２液晶表示装置３７ａ（３３ｂ）（以下、「第２液晶表示装置３７ａ」を「第１サブ液晶３７ａ」とも称する）が設けられており、この第１液晶表示装置３１に正対して右側には第３液晶表示装置３７ｂ（３３ｃ）（以下、「第３液晶表示装置３７ｂ」を「第２サブ液晶３７ｂ」とも称する）が設けられている。
・・・
【００５２】
　ここで、「
大当たりの抽選」とは、第１始動口１４または第２始動口１５に遊技球が入球したときに、
判定する処理をいう。この大当たりの抽選結果は即座に遊技者に報知されるわけではなく、第１特別図柄表示装置２０において特別図柄が点滅等の変動表示を行い、所定の変動時間を経過したところで、大当たりの抽選結果に対応する特別図柄が停止表示して、遊技者に抽選結果が報知される
（ウ）「【０１６２】
　この
「変動演出パターン」とは、特別図柄の変動中に行われる演出内容（第１液晶表示装置３１、音声出力装置３２、演出用駆動装置３３、演出用照明装置３４、第２液晶表示装置３７ａ、第３液晶表示装置３７ｂ）における具体的な演出態様をいう。例えば、第１液晶表示装置３１および第２液晶表示装置３７ａおよび第３液晶表示装置３７ｂにおいては、この変動演出パターンによって表示される背景の表示態様、キャラクタの表示態様、演出図柄３８の変動態様が決定される。
【０１６３】
　また、本実施形態でいう「リーチ」とは、特別遊技に移行することを報知する演出図柄３８の組合せの一部が停止表示され、他の演出図柄３８が変動表示を行っている状態をいう。例えば、大当たり遊技に移行することを報知する演出図柄３８の組合せとして「７７７」の３つの演出図柄３８の組み合わせが設定されている場合に、２つの演出図柄３８が「７」で停止表示され、残りの演出図柄３８が変動表示を行っている状態を「リーチ」という。
【０１６４】
　このようにして、変動パターン指定コマンドおよび演出用乱数値１を元に、サブＣＰＵ１２０ａが変動演出パターンを決定すると、
サブＣＰＵ１２０ａは、この変動演出パターンに対応する演出パターン指定コマンドを特定して後述する画像制御基板１５０の液晶制御ＣＰＵ１５０ａに送信する。
（エ）「【０１８２】
　さらに、
液晶制御ＣＰＵ１５０ａは、
この装飾装置３３ａおよび第２液晶表示装置３７ａおよび第３液晶表示装置３７ｂと第１液晶表示装置３１または第２液晶表示装置３７ａまたは第３液晶表示装置３７ｂの少なくとも２つに表示した演出画像とを連動させる処理を行う。
【０１８３】
　図１３は、本発明の実施の形態における遊技機の画像制御基板で描画された演出画像と装飾装置とを連動させる役物連動テーブルおよび連動する装飾装置の動作情報を指定した動作情報指定テーブルの一例を示す図である。
【０１８４】
　
図１３（ａ）には、装飾装置３３ａおよび第２液晶表示装置３７ａおよび第３液晶表示装置３７ｂを他の装置および第１液晶表示装置３１に表示する演出画像と連動させる際に用いる役物連動テーブルを示している。
【０１８５】
　図１３（ａ）に示す役物連動テーブルは、図１２に示すアニメーション情報決定テーブルと同様、液晶制御ＲＯＭ１５０ｃに記憶されている。役物連動テーブルは、演出制御基板１２０から受信した演出パターン指定コマンドに基づく演出内容において
第１液晶表示装置３１および第２液晶表示装置３７ａおよび第３液晶表示装置３７ｂに表示する演出画像と、装飾装置３３ａや第２液晶表示装置３７ａや第３液晶表示装置３７ｂとを連動させる
（オ）「【０２０３】
　図３４（ａ）は、第２液晶表示装置３７ａの変更過程を示しており、図３４（ｂ）は、第３液晶表示装置３７ｂの変更過程を示している。これらの変更過程は、「形態１」から「形態２」および「形態３」を介して「形態４」に至るまでの変更過程である。
【０２０４】
　図３４（ａ）において、
第２液晶表示装置３７ａの初期状態である「形態１−１」から右方向に平行移動させて「形態２−１」へと変更した状態を示している。このときの「形態１−１」と「形態２−１」とは図３３（ａ）および図３３（ｂ）において距離「Ｋ１」だけ離れていることから、この距離「Ｋ１」だけ右へ平行移動させた状態が「形態２−１」である。
【０２０５】
　
この「形態２−１」から右直角回転（９０度反時計回り）させることによって、第２液晶表示装置３７ａは、「形態３−１」へと変更される。この「形態３−１」から右方向に移動させることによって「形態４−１」へと変更させている。このときの「形態３−１」と「形態４−１」とは図３３（ｃ）および図３３（ｄ）において距離「Ｋ２」だけ離れていることから、この距離「Ｋ２」だけ右へ平行移動させた状態が「形態４−１」である。
【０２０６】
　そして、これらを逆順に変更させることによって初期状態である「形態１−１」まで変更させる。
【０２０７】
　図３４（ｂ）において、第３液晶表示装置３７ｂの初期状態である「形態１−２」から左方向に平行移動させて「形態２−２」へと変更した状態を示している。このときの「形態１−２」と「形態２−２」とは図３３（ａ）および図３３（ｂ）において距離「Ｋ１」だけ離れていることから、この距離「Ｋ１」だけ左へ平行移動させた状態が「形態２−２」である。
【０２０８】
　この「形態２−２」から左直角回転（９０度時計回り）させることによって、第３液晶表示装置３７ｂは、「形態３−２」へと変更される。この「形態３−２」から左方向に移動させることによって「形態４−２」へと変更させている。このときの「形態３−２」と「形態４−２」とは図３３（ｃ）および図３３（ｄ）において距離「Ｋ２」だけ離れていることから、この距離「Ｋ２」だけ左へ平行移動させた状態が「形態４−２」である。
【０２０９】
　そして、これらを逆順に変更させることによって初期状態である「形態１−２」まで変更させる。」
（カ）「【０２１０】
　また、
図３３（ａ）に
左演出図柄、右演出図柄、中演出図柄の３つの演出図柄３８を変動表示した状態を第１液晶表示装置３１に示している。
【０２１１】
　
図３３（ｂ）および図３３（ｃ）に示す第２液晶表示装置３７ａには、左演出図柄の演出図柄３８を変動表示しており、第３液晶表示装置３７ｂには、右演出図柄の演出図柄３８を変動表示した状態を示している。
【０２１２】
　図３３（ｄ）に示す第１液晶表示装置３１には、演出における全体の全体背景画像のほか３つの演出図柄３８を変動した状態で表示し、第２液晶表示装置３７ａおよび第３液晶表示装置３７ｂには、演出に用いられるキャラクタ画像と背景画像とを表示している。このとき、図３３（ｄ）に示す第２液晶表示装置３７ａで表示している背景画像は、第１液晶表示装置３１に正対したときにこの第１液晶表示装置３１と第２液晶表示装置３７ａとが重なる部分における画像を示している。図３３（ｄ）に示す第３液晶表示装置３７ｂで表示している背景画像は、第１液晶表示装置３１に正対したときにこの第１液晶表示装置３１と第３液晶表示装置３７ｂとが重なる部分における画像を示している。
【０２１３】
　このときの第１液晶表示装置３１および第２液晶表示装置３７ａおよび第３液晶表示装置３７ｂに示す画像は、第２液晶表示装置３７ａおよび第３液晶表示装置３７ｂにおける各形態において表示される演出画像の一例を示すものである。」
（キ）上記（イ）には、第１始動口１４または第２始動口１５に遊技球が入球したときに、大当たり抽選を行い、特別図柄の変動表示を行い、遊技者に抽選結果を報知することが記載されているといえる。
　上記（ウ）には、「変動演出パターン」とは、特別図柄の変動中に行われる演出内容であり、例えば、第１液晶表示装置３１および第２液晶表示装置３７ａおよび第３液晶表示装置３７ｂにおいては、この変動演出パターンによって表示される背景の表示態様、キャラクタの表示態様、演出図柄３８の変動態様が決定されることが記載されている。
　上記（エ）には、液晶制御ＣＰＵ１５０ａは、第１液晶表示装置３１、第２液晶表示装置３７ａ、第３液晶表示装置３７ｂを連動させる演出を行うことが記載されている。
　したがって、刊行物１には、
第１始動口１４または第２始動口１５に遊技球が入球したときに、大当たり抽選を行い、抽選結果を報知する演出を、（特別図柄の変動に対応して）第１液晶表示装置３１および第２液晶表示装置３７ａおよび第３液晶表示装置３７ｂを用いて液晶制御ＣＰＵ１５０ａが行う
（ク）上記（オ）、（カ）を参考にして、【図３３】を見ると、【図３３】（ａ）における第１液晶表示装置３１、第２液晶表示装置３７ａ、第３液晶表示装置３７ｂの位置関係から、【図３３】（ｂ）において、第２液晶表示装置３７ａおよび第３液晶表示装置３７ｂは第１液晶表示装置３１に対し
平行移動して
回転し、
　したがって、【図３３】（ｄ）は、【図３３】（ｂ）、（ｃ）の第２液晶表示装置３７ａおよび第３液晶表示装置３７ｂの移動を経たものであり、
第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示するとともに、第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示している
　この【図３３】における、第１液晶表示装置３１、第２液晶表示装置３７ａ、第３液晶表示装置３７ｂの演出は、上記（キ）の抽選結果を報知する演出であり、液晶制御ＣＰＵ１５０ａにより
制御
　上記（ア）〜（カ）の記載事項（キ）、（ク）の認定事項を総合すると、刊行物１には次の発明（以下、「引用発明」という。）が記載されている。
「演出を行う遊技機であって、
　演出の画像を表示する第１液晶表示装置３１と、
　前記１液晶表示装置３１に対して移動可能であり、演出の画像を表示する第２液晶表示装置３７ａおよび第３液晶表示装置３７ｂと、
　第１始動口１４または第２始動口１５に遊技球が入球したときに、大当たり抽選を行い、抽選結果を報知する演出を、第１液晶表示装置３１および第２液晶表示装置３７ａおよび第３液晶表示装置３７ｂを用いて行う液晶制御ＣＰＵ１５０ａと、
　を備え
　前記液晶制御ＣＰＵ１５０ａは、抽選結果を報知する演出において、第２液晶表示装置３７ａおよび第３液晶表示装置３７ｂが移動した後、第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示するとともに、第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示するように制御する
　遊技機」
（２−２）刊行物２
　本願の出願前に頒布された刊行物である「特開２０１４−１１３３２１号公報」（以下、「刊行物２」という。）には、図面と共に次の事項が記載されている（下線は当審で付した。）。
（ア）「【特許請求の範囲】
【請求項１】
　所定の遊技を行う遊技機であって、
　前記所定の遊技の進行に対応した画像の表示を行う
第１画像表示手段
　前記第１画像表示手段の前面側を移動可能に設けられ、該第１画像表示手段に表示される画像に関連した画像の表示を行う
第２画像表示手段
　前記第１画像表示手段と前記第２画像表示手段とを制御して所定の演出を実行する演出実行手段と、を備え、
　前記演出実行手段は、前記第１画像表示手段に表示されている特定画像に対応する画像を前記第２画像表示手段に表示した後、該
第２画像表示手段を移動させる制御を行い
　ことを特徴とする遊技機。」
（イ）「【０１３０】
　
予告演出パターンＹＰ２−２では
画像表示装置５
飾り図柄が非リーチ態様（図８に示す例では「５」、「７」）で停止表示された後、
副画像表示装置５１を右方向に移動させる制御を行い
飾り図柄の可変表示態様がリーチ態様となる
（ウ）「【０１５５】
　上記実施の形態では、飾り図柄の可変表示態様が、画像表示装置５及び副画像表示装置５１を連動させた予告演出を介して、
非リーチ態様からリーチ態様に発展
ハズレ組合せを構成する飾り図柄が停止表示された後、画像表示装置５及び副画像表示装置５１を連動させた予告演出を介して、擬似連チャンス目を構成する飾り図柄を停止表示
（３）対比
　本願補正発明と引用発明とを対比する。
（ａ）引用発明の「第１液晶表示装置３１」は、本願補正発明の「第１の表示手段」に相当する。また、引用発明の「第２液晶表示装置３７ａ」及び「第３液晶表示装置３７ｂ」は、「第１液晶表示装置３１」に対して移動可能であるから、本願補正発明の「第２の表示手段」に相当する。
（ｂ）引用発明の「第１始動口１４または第２始動口１５に遊技球が入球したとき」は、本願補正発明の「所定条件」に相当するから、引用発明の「抽選結果を報知する演出」は、本願補正発明の「判定の結果を報知する演出」に相当する。
　したがって、引用発明の「第１液晶表示装置３１および第２液晶表示装置３７ａおよび第３液晶表示装置３７ｂを用いて行う液晶制御ＣＰＵ１５０ａ」は、本願補正発明の「前記第１の表示手段および前記第２の表示手段を用いて行う演出制御手段」に相当する。
（ｃ）引用発明の「抽選結果を報知する演出において、第２液晶表示装置３７ａおよび第３液晶表示装置３７ｂが移動し」は、図柄が変動してから停止するまでに行うことは明らかであるから、本願補正発明の「前記判定の結果を報知する演出において図柄が変動してから停止するまでに」「前記第２の表示手段が移動し」に相当する。
　そして、引用発明の「第２液晶表示装置３７ａで表示している背景画像は、第１液晶表示装置３１に正対したとき」と「第３液晶表示装置３７ｂで表示している背景画像は、第１液晶表示装置３１に正対したとき」は、本願補正発明の「第２の表示手段が前記第１の表示手段と重なる位置にある場合」に相当する。
　したがって、第２の表示手段が移動することを前提とした上で、引用発明の「第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示する」とともに「第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示し」は、第２の表示手段が移動した後であるから、本願補正発明の「かつ、当該第２の表示手段が前記第１の表示手段と重なる位置にある場合、当該第２の表示手段に対応する当該第１の表示手段の領域に表示する画像を当該第２の表示手段に表示する」に相当する。
　そうすると、上記（ａ）〜（ｃ）の対比から、両者は、
「演出を行う遊技機であって、
　演出の画像を表示する第１の表示手段と、
　前記第１の表示手段に対して移動可能であり、演出の画像を表示する第２の表示手段と、
　所定条件により行われる判定の結果を報知する演出を前記第１の表示手段および前記第２の表示手段を用いて行う演出制御手段と、
　を備え、
　前記演出制御手段は、前記判定の結果を報知する演出において図柄が変動してから停止するまでに前記第２の表示手段が移動し、かつ、当該第２の表示手段が前記第１の表示手段と重なる位置にある場合、当該第２の表示手段に対応する当該第１の表示手段の領域に表示する画像を当該第２の表示手段に表示することを特徴とする遊技機。」
である点で一致し、次の点で相違している。
（相違点）
　判定の結果を報知する演出において図柄が変動してから停止するまでに前記第２の表示手段が移動することに関し、本願補正発明は、「発展演出を行う場合」であることを特定しているのに対し、引用発明は、発展演出を行う場合であることの特定がない点。
（４）判断
　上記（２−２）において、刊行物２には、遊技機において、特定の予告演出パターンでは、飾り図柄が非リーチ態様で停止表示された後に、飾り図柄の可変表示態様がリーチ態様に発展したり、ハズレ組合せを構成する飾り図柄が停止表示された後、擬似連チャンス目に発展させる演出を行う場合、画像表示装置５（第１の表示手段）から副画像表示装置５１（第２の表示手段）を移動させることが記載されている。
　そして、特定の予告演出パターンは判定の結果を報知する演出であるから、結局、刊行物２には、判定の結果を報知する演出において図柄が変動してから停止するまでにする発展演出を行う場合に第２の表示手段が移動することが記載されているといえる。
　一方、引用発明は、発展演出を行う場合の特定がないものの、判定の結果を報知する演出において図柄が変動してから停止するまでに第２の表示手段が移動するものである。
　そうすると、引用発明と刊行物２に記載された事項は、いずれも、第１の表示手段と第２の表示手段を備えたものであり、かつ、いずれも、判定の結果を報知する演出において図柄が変動してから停止するまでに第２の表示手段が移動する点で共通するから、引用発明に刊行物２に記載された発展演出に係る事項を採用し、前記相違点に係る本願補正発明の構成とすることは当業者であれば容易に行い得ることである。
　そして、本願補正発明の効果は、引用発明、刊行物２に記載された事項からみて格別なものではない。
　よって、本願補正発明は引用発明及び刊行物２に記載された事項に基づいて当業者が容易に発明できたものであり、特許法第２９条第２項の規定に基づいて特許出願の際独立して特許を受けることができない。
（５）審判請求人の主張について
　なお、審判請求人は請求書において、「本願発明は、引用文献１にはない上述の構成により、大当たり遊技前の発展演出に第２の表示手段の移動という演出を加えることによって遊技者にドキドキ感をもって次の展開を待つという楽しみを付与することができ、遊技者が遊技する際に遊技の興趣性を更に高めることが可能になる。このような本願発明による効果は、引用文献１に記載されている構成では奏することができない特有な効果であるといえる。」と主張している。
　しかしながら、「大当たり遊技前の発展演出に第２の表示手段の移動という演出を加えること」は刊行物２に記載されており、刊行物２も上記と同様な効果を有するものであることは明らかである。
　したがって、請求人の主張は採用できない。
４　むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１、２に係る発明は、平成２７年９月２８日付けの手続補正書により補正された請求項１、２に記載された事項により特定されるとおりのものであるところ、その請求項１に係る発明（以下、「本願発明」という。）は、上記第２の特許請求の範囲の請求項１に記載された次のとおりのものである。
「【請求項１】
　演出を行う遊技機であって、
　演出の画像を表示する第１の表示手段と、
　前記第１の表示手段に対して移動可能であり、演出の画像を表示する第２の表示手段と、
　所定条件により行われる判定の結果を報知する演出を前記第１の表示手段および前記第２の表示手段を用いて行う演出制御手段と、
　を備え、
　前記演出制御手段は、前記判定の結果を報知する演出において、前記第２の表示手段が前記第１の表示手段と重なる位置にある場合、当該第２の表示手段に対応する当該第１の表示手段の領域に表示する画像を当該第２の表示手段に表示することを特徴とする遊技機。」
１．刊行物
　原査定の拒絶の理由に引用された刊行物１の記載事項、引用発明は、上記第２の３．（２−１）に記載したとおりである。
　
２．対比・判断
　本願発明は上記第２の１．のとおり、本願補正発明から下線部の構成を削除したものである。
　そこで、本願発明と引用発明を前記第２の３．（３）を参考にして対比すると、（ａ）、（ｂ）については同様である。
　そして、（ｃ）について、引用発明の「第２液晶表示装置３７ａで表示している背景画像が、第１液晶表示装置３１に正対したときにこの第１液晶表示装置３１と第２液晶表示装置３７ａとが重なる部分における画像（第１液晶表示装置３１の背景画像であるビルの画像）を表示する」および「第３液晶表示装置３７ｂで表示している背景画像が、第１液晶表示装置３１に正対したときにこの第１液晶表示装置３１と第３液晶表示装置３７ｂとが重なる部分における画像（第１液晶表示装置３１の背景画像であるビルの画像）を表示し」は、本願発明の「前記第２の表示手段が前記第１の表示手段と重なる位置にある場合、当該第２の表示手段に対応する当該第１の表示手段の領域に表示する画像を当該第２の表示手段に表示する」に相当する。
　そうすると両者は、
「演出を行う遊技機であって、
　演出の画像を表示する第１の表示手段と、
　前記第１の表示手段に対して移動可能であり、演出の画像を表示する第２の表示手段と、
　所定条件により行われる判定の結果を報知する演出を前記第１の表示手段および前記第２の表示手段を用いて行う演出制御手段と、
　を備え、
　前記演出制御手段は、前記判定の結果を報知する演出において、前記第２の表示手段が前記第１の表示手段と重なる位置にある場合、当該第２の表示手段に対応する当該第１の表示手段の領域に表示する画像を当該第２の表示手段に表示することを特徴とする遊技機。」
である点で一致し、相違点はない。
　そうすると、本願発明は、引用発明と一致するから、刊行物１に記載された発明であるということができる。
３．むすび
　以上のとおり、本願発明は、特許法第２９条第１項第３号の規定に該当し、特許を受けることができないものである。
　したがって、その余の請求項に係る発明について検討するまでもなく、本願は拒絶すべきである。　
　よって、結論のとおり審決する。